(57)【要約】【課題】電気機器を接続するケーブルのコネクタ同士の接続の緩みを抑制する手段を提供する。【解決手段】コネクタカバー１０は、不燃材料で開閉可能な筒状に形成され、閉状態において互いに接続された第１及びコネクタＣ１１，Ｃ１２の側面全周を一体的に覆う本体部１１と、該本体部１１の左端部から内側に突出し、第１コネクタＣ１１に当接して該第１コネクタＣ１１の左方への移動を規制する第１規制部１２と、本体部１１の右端部から内側に突出し、第２コネクタＣ１２に当接して該第２コネクタＣ１２の右方への移動を規制する第２規制部１３とを含み、本体部１１は、開状態の際に該本体部１１が閉状態になるように該本体部１１を付勢する弾性力が該本体部１１に作用するように構成されている。【選択図】図２
2019175692.tif 000002
【特許請求の範囲】
【請求項１】
互いに接続される第１ケーブルに繋がる第１コネクタと第２ケーブルに繋がる第２コネクタとを覆うコネクタカバーであって、
不燃材料で開閉可能な筒状に形成され、閉状態において互いに接続された上記第１コネクタ及び上記第２コネクタの側面全周を一体的に覆う本体部と、
上記本体部の上記第１ケーブル側の一端部から該本体部の内側に突出し、上記第１コネクタに当接することによって該第１コネクタの上記第２コネクタとの接続が解除される方向への移動を規制する第１規制部と、
上記本体部の上記第２ケーブル側の他端部から該本体部の内側に突出し、上記第２コネクタに当接することによって該第２コネクタの上記第１コネクタとの接続が解除される方向への移動を規制する第２規制部とを含み、
上記本体部は、開状態の際に該本体部が閉状態になるように該本体部を付勢する弾性力、又は閉状態の際に上記本体部が開状態になるように該本体部を付勢する弾性力が該本体部に作用するように構成されている
コネクタカバー。
【請求項２】
請求項１において、
上記本体部は、閉状態において筒状になるように折り曲げられた板金によって形成され、
上記本体部の一部分が、上記本体部が閉状態の際に該本体部が開状態になるように該本体部を付勢する板ばね部に構成されている
コネクタカバー。
【請求項３】
請求項２において、
上記本体部の閉状態を保持する保持部をさらに含み、
上記第１規制部と上記第２規制部と上記保持部とは、それぞれ上記板金の上記本体部を構成する部分に連続して該本体部を構成する部分に対して折り曲げられた板状片部によって構成されている
コネクタカバー。
【請求項４】
請求項１において、
上記本体部は、
互いに接続された上記第１コネクタ及び上記第２コネクタの側面全周のうちの半周分を一体的に覆う第１カバー本体と、
互いに接続された上記第１コネクタ及び上記第２コネクタの側面全周のうちの上記第１カバー本体とは異なる半周分を一体的に覆う第２カバー本体と、
上記第１カバー本体と上記第２カバー本体とに接続され、上記本体部が開状態の際に該本体部が閉じるように付勢するばね部材とを含み、
上記第１カバー本体と上記第２カバー本体とは、上記第１コネクタ及び上記第２コネクタの着脱方向に平行な同一の回動軸を中心に回動可能に且つ同時に逆方向に回動するように連結され、
上記ばね部材は、上記本体部が開状態の際に、上記第１カバー本体が上記回動軸を中心に正方向に回動するように上記第１カバー本体を付勢すると共に上記第２カバー本体が上記回動軸を中心に逆方向に回動するように上記第２カバー本体を付勢するように構成されている
コネクタカバー。
【請求項５】
互いに接続される第１ケーブルに繋がる第１コネクタと第２ケーブルに繋がる第２コネクタとを覆うコネクタカバーであって、
不燃材料で形成され、互いに接続された上記第１コネクタ及び上記第２コネクタの側面全周を一体的に覆う筒状の第１本体部と、上記第１ケーブルは挿通可能で上記第１コネクタは挿通不能な第１挿通孔が形成されて上記第１本体部の上記第１ケーブル側の端面を覆う第１遮蔽部とを有する第１部材と、
不燃材料で形成され、上記第１本体部にスライド可能に外嵌される筒状の第２本体部と、上記第２ケーブルは挿通可能で上記第２コネクタは挿通不能な第２挿通孔が形成されて上記第２本体部の上記第２ケーブル側の端面を覆う第２遮蔽部と、上記第１部材と係合して上記第２本体部の上記第１本体部に対するスライドを規制する係合部とを有する第２部材とを含み、
上記第１遮蔽部は、上記第１コネクタに当接することによって該第１コネクタの上記第２コネクタとの接続が解除される方向への移動を規制するように構成され、
上記第２遮蔽部は、上記第２コネクタに当接することによって該第２コネクタの上記第１コネクタとの接続が解除される方向への移動を規制するように構成されている
コネクタカバー。
【発明の詳細な説明】
【技術分野】
【０００１】
本発明は、コネクタカバーに関するものである。
【背景技術】
【０００２】
従来、電気機器の電気的な接続にコネクタ付きケーブルが用いられている。例えば、特許文献１では、隣り合う太陽電池パネルが、該太陽電池パネルに接続されたケーブルのコネクタ同士を接続することによって電気的に接続されている。
【先行技術文献】
【特許文献】
【０００３】
【特許文献１】特開２００９−３０２５６０号公報
【発明の概要】
【発明が解決しようとする課題】
【０００４】
ところで、施工時の接続不足や経年の使用によってコネクタ同士の接続が緩むことがある。コネクタ同士の接続が緩むと、導通不良によって電力量が低下すると共に、抵抗の増加によって高温に発熱するおそれがある。
【０００５】
本発明は、かかる点に鑑みてなされたものであり、その目的は、電気機器を接続するケーブルのコネクタ同士の接続の緩みを抑制する着脱容易な手段を提供することにある。
【課題を解決するための手段】
【０００６】
本発明は、互いに接続される第１ケーブルに繋がる第１コネクタと第２ケーブルに繋がる第２コネクタとを覆うコネクタカバーであって、不燃材料で開閉可能な筒状に形成され、閉状態において互いに接続された上記第１コネクタ及び上記第２コネクタの側面全周を一体的に覆う本体部と、上記本体部の上記第１ケーブル側の一端部から該本体部の内側に突出し、上記第１コネクタに当接することによって該第１コネクタの上記第２コネクタとの接続が解除される方向への移動を規制する第１規制部と、上記本体部の上記第２ケーブル側の他端部から該本体部の内側に突出し、上記第２コネクタに当接することによって該第２コネクタの上記第１コネクタとの接続が解除される方向への移動を規制する第２規制部とを含み、上記本体部は、開状態の際に該本体部が閉状態になるように該本体部を付勢する弾性力、又は閉状態の際に上記本体部が開状態になるように該本体部を付勢する弾性力が該本体部に作用するように構成されているものである。
【０００７】
また、他の発明は、互いに接続される第１ケーブルに繋がる第１コネクタと第２ケーブルに繋がる第２コネクタとを覆うコネクタカバーであって、不燃材料で形成され、互いに接続された上記第１コネクタ及び上記第２コネクタの側面全周を一体的に覆う筒状の第１本体部と、上記第１ケーブルは挿通可能で上記第１コネクタは挿通不能な第１挿通孔が形成されて上記第１本体部の上記第１ケーブル側の端面を覆う第１遮蔽部とを有する第１部材と、不燃材料で形成され、上記第１本体部にスライド可能に外嵌される筒状の第２本体部と、上記第２ケーブルは挿通可能で上記第２コネクタは挿通不能な第２挿通孔が形成されて上記第２本体部の上記第２ケーブル側の端面を覆う第２遮蔽部と、上記第１部材と係合して上記第２本体部の上記第１本体部に対するスライドを規制する係合部とを有する第２部材とを含み、上記第１遮蔽部は、上記第１コネクタに当接することによって該第１コネクタの上記第２コネクタとの接続が解除される方向への移動を規制するように構成され、上記第２遮蔽部は、上記第２コネクタに当接することによって該第２コネクタの上記第１コネクタとの接続が解除される方向への移動を規制するように構成されているものである。
【発明の効果】
【０００８】
本発明のコネクタカバーは、着脱容易であり、電気機器を接続するケーブルのコネクタ同士の接続の緩みが抑制される。
【図面の簡単な説明】
【０００９】
【図１】図１は、実施形態１のコネクタカバーの設置状態を示す模式図である。
【図２】図２は、実施形態１のコネクタカバーがコネクタ接続部に設置された状態を示す斜視図である。
【図３】図３は、実施形態１のコネクタカバーの開状態を示す斜視図である。
【図４】図４は、実施形態１のコネクタカバーを構成する板金の展開図である。
【００１０】
【図５】図５は、実施形態１のコネクタカバーを保持部部分で切断した断面図である。
【図６】図６は、実施形態２のコネクタカバーがコネクタ接続部に設置された状態を示す斜視図である。
【図７】図７は、実施形態２のコネクタカバーの第１カバー本体と第２カバー本体の分解斜視図である。
【図８】図８は、実施形態２のコネクタカバーの閉状態を示す側面図である。
【図９】図９は、実施形態２のコネクタカバーの開状態を示す側面図である。
【図１０】図１０は、実施形態３のコネクタカバーがコネクタ接続部に設置された状態を示す斜視図である。
【図１１】図１１は、実施形態３のコネクタカバーの分解斜視図である。
【図１２】図１２は、実施形態３のコネクタカバーの設置前の状態を示す模式図である。
【発明を実施するための形態】
【００１１】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００１２】
以下の実施形態１〜３では、図１に模式的に示すように、本発明に係るコネクタカバーの一例として、隣り合う太陽電池パネルＰ（電気機器）を電気的に接続する第１ケーブルＣ１と第２ケーブルＣ２の第１コネクタＣ１１と第２コネクタＣ１２とを一体的に覆うコネクタカバー１０について説明する。
【００１３】
図１に示すように、一列に並べて設置された複数の太陽電池パネルＰのそれぞれには、第１ケーブルＣ１と第２ケーブルＣ２とが接続されている。第１ケーブルＣ１と第２ケーブルＣ２とは、各太陽電池パネルＰの裏面（受光面と逆側の面）に設けられた端子ボックスＪＢに収容された端子に接続されている。各太陽電池パネルＰの第１ケーブルＣ１は、隣の太陽電池パネルＰまで延び、端部に設けられた第１コネクタＣ１１が、隣の太陽電池パネルＰの第２ケーブルＣ２の端部に設けられた第２コネクタＣ１２に接続されている。本実施形態１では、コネクタカバー１０は、このように隣り合う太陽電池パネルＰの一方側の第１ケーブルＣ１の第１コネクタＣ１１と他方側の太陽電池パネルＰの第２ケーブルＣ２の第２コネクタＣ１２との接続部分を覆っている。
【００１４】
第１コネクタＣ１１と第２コネクタＣ１２は、それぞれケーブル側の端部を基端部、逆側の端部を先端部とすると、先端部に互いに係合する係合部が形成されている。本実施形態では、第１コネクタＣ１１の先端部には凸部が形成され、第２コネクタＣ１２の先端部には第１コネクタＣ１１の凸部が嵌まり込む凹部が形成されている。第１コネクタＣ１１と第２コネクタＣ１２とは、第１コネクタＣ１１の凸部を第２コネクタＣ１２の凹部に嵌め込むことによって互いに接続され、第１コネクタＣ１１の凸部を第２コネクタＣ１２の凹部から引き抜くことによって互いの接続が解除される。なお、第１コネクタＣ１１と第２コネクタＣ１２の係合部の形状は上述の形状に限られず、いかなるものであってもよい。例えば、第１コネクタＣ１１と第２コネクタＣ１２の両方の先端部に凸部と凹部とが形成されていてもよい。
【００１５】
《実施形態１》
以下、実施形態１のコネクタカバー１０について図２〜図５を用いて説明する。
【００１６】
なお、以下では、便宜上、図２に矢印で示すように、紙面の右方向を前方、紙面の左方向を後方、紙面の上方向を上方、紙面の下方向を下方、紙面の左斜め下方向を左方、紙面の右斜め上方向を右方として説明する。また、前後方向をＸ方向、上下方向をＹ方向、左右方向をＺ方向という。なお、Ｚ方向は、第１コネクタＣ１１と第２コネクタＣ１２との着脱方向（第１コネクタＣ１１及び第２コネクタＣ１２の接続時の配列方向）となる。
【００１７】
−コネクタカバーの構成−
図２及び図３に示すように、コネクタカバー１０は、本体部１１と、２つの左側規制部１２と、２つの右側規制部１３と、保持部１４とを備えている。本体部１１と、２つの左側規制部１２と、２つの右側規制部１３と、保持部１４とは、一枚の板金を折り曲げることによって形成されている。
【００１８】
［本体部］
本体部１１は、図４に示す板金に、谷折り線（図４の破線）で折り曲げる折り曲げ加工を施すことによってＸＹ方向の断面が略矩形の筒状に形成されている。本体部１１は、Ｘ方向及びＹ方向の長さに対してＺ方向の長さが長い筒状に形成されている。また、本体部１１は、互いに接続された第１コネクタＣ１１及び第２コネクタＣ１２の側面全周（着脱方向に沿う前面、上面、後面及び下面からなる外周面）を一体的に覆うことができる大きさに形成されている。つまり、本体部１１は、Ｘ方向、Ｙ方向及びＺ方向の寸法が、それぞれ第１コネクタＣ１１及び第２コネクタＣ１２のＸ方向、Ｙ方向及びＺ方向の寸法よりも大きくなるように形成されている。
【００１９】
図２及び図３に示すように、本体部１１は、前上面部１１ａと、上面部１１ｂと、後面部１１ｃと、下面部１１ｄと、前下面部１１ｅとを有している。前上面部１１ａと上面部１１ｂと後面部１１ｃと下面部１１ｄと前下面部１１ｅとは、いずれも図４に示す板金の矩形状の一部分によって形成される。前上面部１１ａと上面部１１ｂと下面部１１ｄと前下面部１１ｅとは、平板状に形成されている。一方、後面部１１ｃは、プレス加工によって湾曲形状に形成されている。
【００２０】
後面部１１ｃは、例えば、図４に示す板金に折り曲げ加工を行う前に、板金の後面部１１ｃとなる部分に対してプレス加工を施すことによって湾曲形状に形成されている。後面部１１ｃは、上下方向（Ｙ方向）の中央部分が両端部（上端部及び下端部）よりも筒状の本体部１１の内側に膨出するように湾曲している。後面部１１ｃは、このように湾曲形状に形成されることにより、本体部１１が閉状態の際に該本体部１１が開状態になるように該本体部１１を付勢する板ばね部となる。
【００２１】
具体的には、本体部１１は、図３及び図５に示すように、外力が何ら作用しない場合、前上面部１１ａの下端と前下面部１１ｅとの上端とが離れた開状態となる。一方、本体部１１の上面部１１ｂに、該上面部１１ｂを下面部１１ｄ側に押圧する力を作用させると、本体部１１は、前上面部１１ａの下端と前下面部１１ｅとの上端とが近づき、やがて前上面部１１ａの下端と前下面部１１ｅとの上端とが当接した閉状態（図５の二点鎖線で示す状態）となる。このとき、後面部１１ｃは、上面部１１ｂに引っ張られて弾性変形し、湾曲面の曲率が徐々に小さくなり、閉状態では平板に近い形状となる。
【００２２】
上述のような後面部１１ｃの弾性変形により、本体部１１が閉状態の際に、本体部１１には、後面部１１ｃ（板ばね部）が元の形状に戻ろうとする復元力（弾性力）が作用し、本体部１１は、開状態になるように付勢される。つまり、本体部１１を、開状態から上面部１１ｂを手で押さえて閉状態にした後、その手を離して該上面部１１ｂに作用させていた力を取り除くと、本体部１１は、後面部１１ｃ（板ばね部）の復元力（弾性力）によって上面部１１ｂが持ち上げられ、すぐに元の開状態となる。
【００２３】
［規制部］
２つの左側規制部１２は、第１コネクタＣ１１及び第２コネクタＣ１２の一方のコネクタに当接することによって該一方のコネクタの他方のコネクタとの接続が解除される方向への移動を規制するものである。本実施形態１では、２つの左側規制部１２は、本体部１１内において左側に設けられる第１コネクタＣ１１に当接することによって第１コネクタＣ１１の第２コネクタＣ１２との接続が解除される左方への移動を規制する。
【００２４】
具体的には、図２及び図３に示すように、２つの左側規制部１２は、本体部１１のＺ方向において左側端部（第１コネクタＣ１１及び第２コネクタＣ１２の着脱方向において第１ケーブルＣ１側の一端部）からそれぞれ該本体部１１の内側に突出している。本実施形態では、２つの左側規制部１２は、本体部１１の上面部１１ｂの左側端部から該本体部１１の内側に突出する上側の左側規制部１２と、本体部１１の下面部１１ｄの左側端部から該本体部１１の内側に突出する下側の左側規制部１２とによって構成されている。
【００２５】
２つの左側規制部１２は、図４に示す板金の本体部１１を構成する部分に連続して該本体部１１を構成する部分に対して折り曲げられた板状片部によって形成されている。具体的には、上側の左側規制部１２は、図４に示す板金の上面部１１ｂとなる部分の左側端部（図４では下側端部）に連続する矩形状の板状片部を上面部１１ｂに対して折り曲げることによって形成されている。下側の左側規制部１２は、図４に示す板金の下面部１１ｄとなる部分の左側端部（図４では下側端部）に連続する矩形状の板状片部を下面部１１ｄに対して折り曲げることによって形成されている。
【００２６】
なお、２つの左側規制部１２は、本実施形態では、等しい大きさの矩形状に形成されているが、本体部１１内において左側に設けられる第１コネクタＣ１１に当接して該第１コネクタＣ１１の左方への移動を規制できるものであれば、いかなる大きさ、形状であってもよい。２つの左側規制部１２は、一方が他方より大きいものであってもよく、矩形状以外の形状であってもよい。また、左側規制部１２は、１つだけ設けられていてもよく、３つ以上設けられていてもよい。
【００２７】
２つの右側規制部１３は、第１コネクタＣ１１及び第２コネクタＣ１２の一方のコネクタに当接することによって該一方のコネクタの他方のコネクタとの接続が解除される方向への移動を規制するものである。本実施形態１では、２つの右側規制部１３は、本体部１１内において右側に設けられる第２コネクタＣ１２に当接することによって第２コネクタＣ１２の第１コネクタＣ１１との接続が解除される右方への移動を規制する。
【００２８】
具体的には、図２及び図３に示すように、２つの右側規制部１３は、本体部１１のＺ方向において右側端部（第１コネクタＣ１１及び第２コネクタＣ１２の着脱方向において第２ケーブルＣ２側の他端部）からそれぞれ該本体部１１の内側に突出している。本実施形態では、２つの右側規制部１３は、本体部１１の上面部１１ｂの右側端部から該本体部１１の内側に突出する上側の右側規制部１３と、本体部１１の下面部１１ｄの右側端部から該本体部１１の内側に突出する下側の右側規制部１３とによって構成されている。
【００２９】
２つの右側規制部１３は、図４に示す板金の本体部１１を構成する部分に連続して該本体部１１を構成する部分に対して折り曲げられた板状片部によって形成されている。具体的には、上側の右側規制部１３は、図４に示す板金の上面部１１ｂとなる部分の右側端部（図４では上側端部）に連続する矩形状の板状片部を上面部１１ｂに対して折り曲げることによって形成されている。下側の右側規制部１３は、図４に示す板金の下面部１１ｄとなる部分の右側端部（図４では上側端部）に連続する矩形状の板状片部を下面部１１ｄに対して折り曲げることによって形成されている。
【００３０】
なお、２つの右側規制部１３は、本実施形態では、等しい大きさの矩形状に形成されているが、本体部１１内において右側に設けられる第２コネクタＣ１２に当接して該第２コネクタＣ１２の右方への移動を規制できるものであれば、いかなる大きさ、形状であってもよい。２つの右側規制部１３は、一方が他方より大きいものであってもよく、矩形状以外の形状であってもよい。また、右側規制部１３は、１つだけ設けられていてもよく、３つ以上設けられていてもよい。
【００３１】
本実施形態１では、左側規制部１２と右側規制部１３とは、Ｚ方向、即ち、第１コネクタＣ１１及び第２コネクタＣ１２の着脱方向（配列方向）において対向する位置に設けられている。また、左側規制部１２と右側規制部１３とは、Ｚ方向の間隔が、接続状態にある第１コネクタＣ１１及び第２コネクタＣ１２のＺ方向の長さより僅かに大きくなるように形成されている。左側規制部１２と右側規制部１３とがこのような間隔で設けられることにより、接続状態にある第１コネクタＣ１１及び第２コネクタＣ１２を容易に本体部１１内に収容することができる。また、本体部１１内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は左側規制部１２（第１規制部）に当接することによって左方への移動が規制され、第２コネクタＣ１２は右側規制部１３（第２規制部）に当接することによって右方への移動が規制される。つまり、左側規制部１２と右側規制部１３とが上述のような間隔で設けられることにより、本体部１１内に収容された接続状態にある第１コネクタＣ１１及び第２コネクタＣ１２の接続の緩みが抑制される。
【００３２】
［保持部］
保持部１４は、本体部１１の前上面部１１ａに連続する上保持片１４ａと、本体部１１の前下面部１１ｅに連続する下保持片１４ｂとを有している。上保持片１４ａは、図４に示す板金の前上面部１１ａとなる部分の上面部１１ｂとなる部分の逆側に連続する矩形状の板状片部を、山折り線（図４の一点鎖線）で前上面部１１ａに対して折り曲げると共に、Ｃ字形状に湾曲させることによって形成されている。下保持片１４ｂは、図４に示す板金の前下面部１１ｅとなる部分の下面部１１ｄとなる部分の逆側に連続する矩形状の板状片部を、山折り線（図４の一点鎖線）で前下面部１１ｅに対して折り曲げると共に、Ｃ字形状に湾曲させることによって形成されている。
【００３３】
上保持片１４ａと下保持片１４ｂとは、本体部１１の閉状態において、下保持片１４ｂが上保持片１４ａ内にぴったり嵌まるように、下保持片１４ｂが上保持片１４ａよりも一回り小さいＣ字形状に形成されている。本体部１１の閉状態において、下保持片１４ｂが上保持片１４ａ内にぴったり嵌まると、上保持片１４ａの下側部分が下保持片１４ｂの下側部分に当接して引っかかり、後面部１１ｃ（板ばね部）の復元力（弾性力）が作用しても上面部１１ｂが持ち上がらず、本体部１１が開かない。つまり、保持部１４によって、本体部１１の前上面部１１ａの下端と前下面部１１ｅとの上端とが当接した閉状態（図５の二点鎖線で示す状態）が保持されることとなる。
【００３４】
−コネクタカバーの着脱手順−
次に、コネクタカバー１０の着脱手順について説明する。
【００３５】
コネクタカバー１０を第１コネクタＣ１１及び第２コネクタＣ１２に装着する際には、まず、コネクタカバー１０の本体部１１の保持部１４の上保持片１４ａを上方に持ち上げ、下保持片１４ｂから離す。その結果、本体部１１の後面部１１ｃ（板ばね部）の復元力（弾性力）によって本体部１１の上面部１１ｂが持ち上がり、本体部１１が開状態となる。
【００３６】
次に、開状態となった本体部１１内の左側規制部１２と右側規制部１３との間に、互いに接続された第１コネクタＣ１１及び第２コネクタＣ１２を設置する。その後、本体部１１の上面部１１ｂに、該上面部１１ｂを下面部１１ｄ側に押圧する力を作用させて上面部１１ｂを後面部１１ｃ（板ばね部）の復元力（弾性力）に抗して押し下げて本体部１１を閉状態にすると共に、保持部１４の上保持片１４ａを下保持片１４ｂに対して外側から嵌め込む。これにより、本体部１１内に第１コネクタＣ１１及び第２コネクタＣ１２が収容された状態で、本体部１１が閉状態に保持される。
【００３７】
一方、第１コネクタＣ１１及び第２コネクタＣ１２からコネクタカバー１０を取り外す際には、コネクタカバー１０の本体部１１の保持部１４の上保持片１４ａを上方に持ち上げて本体部１１を開状態にし、本体部１１内から第１コネクタＣ１１及び第２コネクタＣ１２を取り出せばよい。
【００３８】
−実施形態１の効果−
以上のように、上記コネクタカバー１０は、本体部１１において第１ケーブルＣ１側の一端部に対応する左側端部から該本体部１１の内側に突出し、第１コネクタＣ１１に当接することによって該第１コネクタＣ１１の第２コネクタＣ１２との接続が解除される方向（左方）への移動を規制する左側規制部１２（第１規制部）と、本体部１１において第２ケーブルＣ２側の他端部に対応する右側端部から該本体部１１の内側に突出し、第２コネクタＣ１２に当接することによって該第２コネクタＣ１２の第１コネクタＣ１１との接続が解除される方向（右方）への移動を規制する右側規制部１３（第２規制部）とを含んでいる。そのため、本体部１１内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は左側規制部１２（第１規制部）に当接することによって左方への移動が規制され、第２コネクタＣ１２は右側規制部１３（第２規制部）に当接することによって右方への移動が規制される。つまり、コネクタカバー１０が左側規制部１２と右側規制部１３とを含むことにより、本体部１１内に収容された接続状態にある第１コネクタＣ１１及び第２コネクタＣ１２の接続の緩みが抑制される。よって、第１コネクタＣ１１及び第２コネクタＣ１２の導通不良による電力量の低下や高温に発熱することが回避される。
【００３９】
また、コネクタカバー１０は、不燃材料である金属板で開閉可能な筒状に形成された本体部１１を含んでいる。そして、本体部１１は、内部に収容した接続状態にある第１コネクタＣ１１及び第２コネクタＣ１２の側面全周を一体的に覆う大きさに形成されている。つまり、接続状態にある第１コネクタＣ１１及び第２コネクタＣ１２は、不燃材料からなる本体部１１によって側面全周が覆われることとなる。よって、第１コネクタＣ１１及び第２コネクタＣ１２が経年の使用によって劣化し、導通不良によって高温に発熱して万一発火するようなことがあったとしても、不燃材料からなる本体部１１によって側面全周が覆われているため、周辺の部材、例えば、住宅の屋根に太陽電池パネルＰが設置されているような場合には、ルーフィング又は野地板への延焼が抑制される。また、万一発火するようなことがあっても、コネクタカバー１０によって発火部分（第１コネクタＣ１１及び第２コネクタＣ１２の接続部分）への酸素の供給が抑制されるため、速やかに鎮火されることとなる。
【００４０】
また、このようにコネクタカバー１０の本体部１１で第１コネクタＣ１１及び第２コネクタＣ１２の側面全周を一体的に覆うことにより、第１コネクタＣ１１及び第２コネクタＣ１２が保護される。そのため、例えば、太陽電池パネルＰの施工時に誤って第１コネクタＣ１１及び第２コネクタＣ１２を踏みつけてしまっても、コネクタカバー１０の本体部１１によって保護されているため、第１コネクタＣ１１及び第２コネクタＣ１２が破損し難くなる。
【００４１】
また、コネクタカバー１０は、本体部１１が、前上面部１１ａの下端と前下面部１１ｅとの上端とが当接した閉状態の際に開状態になるように付勢する弾性力が作用するように構成されている。このような構成により、本体部１１を容易に開くことができ、コネクタカバー１０の着脱が容易になる。
【００４２】
また、コネクタカバー１０は、第１コネクタＣ１１に当接して該第１コネクタＣ１１の左方への移動を規制する左側規制部１２（第１規制部）と、第２コネクタＣ１２に当接して該第２コネクタＣ１２の右方への移動を規制する右側規制部１３（第２規制部）とを２つずつ有している。コネクタカバー１０が左側規制部１２及び右側規制部１３を少なくとも１つずつ有していれば本体部１１内に収容された接続状態にある第１コネクタＣ１１及び第２コネクタＣ１２の接続の緩みが抑制されるが、左側規制部１２及び右側規制部１３を複数有することにより、第１コネクタＣ１１及び第２コネクタＣ１２の接続の緩みがより確実に抑制される。
【００４３】
また、コネクタカバー１０では、本体部１１が、閉状態において筒状になるように折り曲げられた板金によって形成され、該本体部の一部分である後面部１１ｃが、本体部１１が閉状態の際に該本体部１１が開状態になるように該本体部１１を付勢する板ばね部に構成されている。このように筒状の本体部１１の一部分を板ばね部に構成するだけの容易な構成により、本体部１１が閉状態の際に開状態になるように弾性力が付勢される構成となる。
【００４４】
また、上記コネクタカバー１０では、左側規制部１２（第１規制部）と右側規制部１３（第２規制部）と保持部１４とが、本体部１１を構成する板金の該本体部１１を構成する部分に連続して該本体部１１を構成する部分に対して折り曲げられた板状片部によって構成されている。このような構成により、コネクタカバー１０は、一枚の板金によって容易に構成される。
【００４５】
《実施形態２》
以下、実施形態２のコネクタカバー１０について図６〜図９を用いて説明する。
【００４６】
なお、以下では、便宜上、図６に矢印で示すように、紙面の右方向を前方、紙面の左方向を後方、紙面の上方向を上方、紙面の下方向を下方、紙面の左斜め下方向を左方、紙面の右斜め上方向を右方として説明する。また、前後方向をＸ方向、上下方向をＹ方向、左右方向をＺ方向という。なお、Ｚ方向は、第１コネクタＣ１１と第２コネクタＣ１２との着脱方向（接続時の配列方向）となる。
【００４７】
−コネクタカバーの構成−
図６及び図７に示すように、コネクタカバー１０は、本体部２１と、２つの左側規制部２２と、２つの右側規制部２３とを備えている。
【００４８】
［本体部］
本体部２１は、図７に示すように、第１カバー本体２５と第２カバー本体２６と４つのばね部材２７とを有している。第１カバー本体２５は、接続状態にある第１コネクタＣ１１及び第２コネクタＣ１２の後方に設けられ、第１コネクタＣ１１及び第２コネクタＣ１２の側面全周（着脱方向に沿う前面、上面、後面及び下面からなる外周面）のうちの後方の半周分（後面と上面及び下面の後半分）を一体的に覆っている。第２カバー本体２６は接続状態にある第１コネクタＣ１１及び第２コネクタＣ１２の前方にもうけられ、第１コネクタＣ１１及び第２コネクタＣ１２の側面全周のうちの前方の半周分（前面と上面及び下面の前半分）を一体的に覆っている。４つのばね部材２７は、第１カバー本体２５から第２カバー本体２６へ架け渡されている。
【００４９】
第１カバー本体２５は、収容部２５ａと操作部２５ｂと回動支持部２５ｃとを有している。収容部２５ａと操作部２５ｂと回動支持部２５ｃとは、不燃性樹脂を射出成形することによって一体に形成されている。収容部２５ａと操作部２５ｂとは、Ｙ方向に連続し、回動支持部２５ｃは、収容部２５ａと操作部２５ｂとの連続部分の前面側に連続している。収容部２５ａと操作部２５ｂと回動支持部２５ｃとは、いずれもＺ方向に延びるように形成されている。
【００５０】
第２カバー本体２６は、収容部２６ａと操作部２６ｂと回動軸部２６ｃとを有している。収容部２６ａと操作部２６ｂと回動軸部２６ｃとは、不燃性樹脂を射出成形することによって一体に形成されている。収容部２６ａと操作部２６ｂとは、Ｙ方向に連続し、回動軸部２６ｃは、収容部２６ａと操作部２６ｂとの連続部分の後面側に連続している。収容部２６ａと操作部２６ｂと回動軸部２６ｃとは、いずれもＺ方向に延びるように形成されている。
【００５１】
第１カバー本体２５の収容部２５ａと第２カバー本体２６の収容部２６ａとは、ＹＺ平面に対して対象な形状に形成されている。第１カバー本体２５の収容部２５ａと第２カバー本体２６の収容部２６ａとは、ＸＹ方向の断面が略半円弧形状に形成されている。また、後方の第１カバー本体２５の収容部２５ａが後方に膨出し、第２カバー本体２６の収容部２６ａが前方に膨出するように設けられることにより、第１カバー本体２５の収容部２５ａと第２カバー本体２６の収容部２６ａとの間には、ＸＹ方向の断面が略円形状でＺ方向に接続状態における第１コネクタＣ１１及び第２コネクタＣ１２よりも長く延びる内部空間が形成される。
【００５２】
また、第１カバー本体２５の収容部２５ａと第２カバー本体２６の収容部２６ａとは、互いに接続された第１コネクタＣ１１及び第２コネクタＣ１２の側面全周を一体的に覆うことができる大きさに形成されている。つまり、第１カバー本体２５の収容部２５ａと第２カバー本体２６の収容部２６ａとは、Ｘ方向、Ｙ方向及びＺ方向の寸法が、それぞれ第１コネクタＣ１１及び第２コネクタＣ１２のＸ方向、Ｙ方向及びＺ方向の寸法よりも大きくなるように形成されている。そして、第１カバー本体２５の収容部２５ａと第２カバー本体２６の収容部２６ａとの間に形成される内部空間に第１コネクタＣ１１及び第２コネクタＣ１２が収容される。つまり、第１カバー本体２５の収容部２５ａと第２カバー本体２６の収容部２６ａとは、互いに接続された第１コネクタＣ１１及び第２コネクタＣ１２を収容するＸＹ方向の断面が略円形状の内部空間を形成する円筒壁となる。
【００５３】
第１カバー本体２５の操作部２５ｂと第２カバー本体２６の操作部２６ｂとは、ＹＺ平面に対して対象な形状に形成されている。第１カバー本体２５の操作部２５ｂと第２カバー本体２６の操作部２６ｂとは、Ｚ方向に長く延びる平板状に形成されている。第１カバー本体２５の操作部２５ｂは、第１カバー本体２５の収容部２５ａの上端に連続して上方に向かうほど後方に位置するように傾斜し、第２カバー本体２６の操作部２６ｂは、第２カバー本体２６の収容部２６ａの上端に連続して上方に向かうほど前方に位置するように傾斜している。第１カバー本体２５の操作部２５ｂと第２カバー本体２６の操作部２６ｂとには、それぞれ４つの挿通孔２８がＺ方向に等間隔を空けて形成されている。各挿通孔２８には、ばね部材２７が挿通される。
【００５４】
第１カバー本体２５の回動支持部２５ｃと第２カバー本体２６の回動軸部２６ｃとは、前後方向（Ｘ方向）に対応する位置に形成されている。第１カバー本体２５の回動支持部２５ｃは、ＸＹ方向の断面が半円形状に形成され、Ｚ方向の長さは、収容部２５ａと操作部２５ｂと同じ長さに形成されている。第２カバー本体２６の回動軸部２６ｃは、ＸＹ方向の断面が円形状の円柱状に形成され、Ｚ方向の長さは、収容部２６ａと操作部２６ｂと同じ長さに形成されている。第２カバー本体２６の回動軸部２６ｃは、第１カバー本体２５の回動支持部２５ｃの内部に嵌まり、回動支持部２５ｃ内で回動軸Ａ（回動軸部２６ｃの中心線）周りに回動する大きさに形成されている。
【００５５】
このような構成により、第１カバー本体２５と第２カバー本体２６とは、回動支持部２５ｃに回動軸部２６ｃを嵌め込むことによって連結され、回動軸部２６ｃを回動支持部２５ｃ内で回動させると、第１カバー本体２５と第２カバー本体２６とが、回動軸Ａを中心に互いに逆方向に回動する。具体的には、第１カバー本体２５の操作部２５ｂと第２カバー本体２６の操作部２６ｂの上端同士を近づけると、第１カバー本体２５が回動軸Ａを中心に第１方向（図８において時計回り）に回動し、同時に、第２カバー本体２６が回動軸Ａを中心に第１方向と逆方向の第２方向（図８において反時計回り）に回動する。このような動作により、本体部２１は、第１カバー本体２５の収容部２５ａと第２カバー本体２６の収容部２６ａの下端同士が当接した閉状態（図８の状態）から該下端同士が離れた開状態となる（図９の状態）。
【００５６】
ばね部材２７は、本実施形態では４本設けられている。各ばね部材２７は、Ｃ字形状の針金によって構成されている。４本のばね部材２７は、それぞれ第１カバー本体２５の操作部２５ｂと第２カバー本体２６の操作部２６ｂの対応する位置に形成された挿通孔２８に挿通されている。なお、第１カバー本体２５と第２カバー本体２６の収容部２５ａ，２６ａの上端部の外面には、４本のばね部材２７の端部をそれぞれ受容する４つの受容溝２９がそれぞれ形成されている。４本のばね部材２７は、第１カバー本体２５の受容溝２９から第２カバー本体２６の受容溝２９に架け渡されている。４本のばね部材２７は、本体部２１が開状態の際に、第１カバー本体２５が回動軸Ａに対して正方向（第２方向）に回動するように第１カバー本体２５を付勢すると共に、第２カバー本体２６が回動軸Ａを中心に逆方向（第１方向）に回動するように第２カバー本体２６を付勢するように構成されている。
【００５７】
このような構成により、ばね部材２７は、上述のようにして本体部２１が閉状態から開状態になると、Ｃ字形状から端部同士が離れてＵ字形状に変形する（図９を参照）。このようなばね部材２７の弾性変形により、本体部２１が開状態の際に、本体部２１には、ばね部材２７が元の形状に戻ろうとする復元力（弾性力）が作用し、本体部２１は、閉状態になるように付勢される。つまり、本体部２１を、閉状態から手で各操作部２５ｂ，２６ｂの上端を把持しながら該上端同士を近づけ、回動軸Ａを中心に第１カバー本体２５を第１方向（図８の時計回り）に回動させ、第２カバー本体２６を第２方向（図８の反時計回り）に回動させて開状態にした後、その手を離して各操作部２５ｂ，２６ｂに作用させていた力を取り除くと、本体部２１には、ばね部材２７の復元力（弾性力）により、回動軸Ａを中心に第１カバー本体２５を第２方向（図８の半時計回り）に回動させ、第２カバー本体２６を第１方向（図８の時計回り）に回動させる付勢力が作用する。その結果、本体部２１は、各操作部２５ｂ，２６ｂの上端が離れる一方、各収容部２５ａ，２６ａの下端が近づき、すぐに元の各収容部２５ａ，２６ａの下端が当接した閉状態となる。
【００５８】
［規制部］
２つの左側規制部２２は、第１コネクタＣ１１及び第２コネクタＣ１２の一方のコネクタに当接することによって該一方のコネクタの他方のコネクタとの接続が解除される方向への移動を規制するものである。本実施形態２においても、２つの左側規制部２２は、本体部２１内において左側に設けられる第１コネクタＣ１１に当接することによって第１コネクタＣ１１の第２コネクタＣ１２との接続が解除される左方への移動を規制する。
【００５９】
具体的には、図７に示すように、２つの左側規制部２２は、本体部２１のＺ方向において左側端部（第１コネクタＣ１１及び第２コネクタＣ１２の着脱方向において第１ケーブルＣ１側の一端部）からそれぞれ該本体部２１の内側に突出している。本実施形態では、２つの左側規制部２２は、本体部２１の第１カバー本体２５の左側端部から該本体部２１の内側（第２カバー本体２６側）に突出する後側の左側規制部２２と、本体部２１の第２カバー本体２６の左側端部から該本体部２１の内側（第１カバー本体２５側）に突出する前側の左側規制部２２とによって構成されている。後側の左側規制部２２は、第１カバー本体２５と共に不燃性樹脂を射出成形することによって一体に形成されている。前側の左側規制部２２は、第２カバー本体２６と共に不燃性樹脂を射出成形することによって一体に形成されている。
【００６０】
なお、２つの左側規制部２２は、本実施形態２では、等しい大きさの矩形状に形成されているが、本体部２１内において左側に設けられる第１コネクタＣ１１に当接して該第１コネクタＣ１１の左方への移動を規制できるものであれば、いかなる大きさ、形状であってもよい。２つの左側規制部２２は、一方が他方より大きいものであってもよく、矩形状以外の形状であってもよい。また、左側規制部２２は、１つだけ設けられていてもよく、３つ以上設けられていてもよい。
【００６１】
２つの右側規制部２３は、第１コネクタＣ１１及び第２コネクタＣ１２の一方のコネクタに当接することによって該一方のコネクタの他方のコネクタとの接続が解除される方向への移動を規制するものである。本実施形態２では、２つの右側規制部２３は、本体部２１内において右側に設けられる第２コネクタＣ１２に当接することによって第２コネクタＣ１２の第１コネクタＣ１１との接続が解除される右方への移動を規制する。
【００６２】
具体的には、図７に示すように、２つの右側規制部２３は、本体部２１のＺ方向において右側端部（第１コネクタＣ１１及び第２コネクタＣ１２の着脱方向において第２ケーブルＣ２側の他端部）からそれぞれ該本体部２１の内側に突出している。本実施形態では、２つの右側規制部２３は、本体部２１の第１カバー本体２５の右側端部から該本体部２１の内側（第２カバー本体２６側）に突出する後側の右側規制部２３と、本体部２１の第２カバー本体２６の右側端部から該本体部２１の内側（第１カバー本体２５側）に突出する前側の右側規制部２３とによって構成されている。後側の右側規制部２３は、第１カバー本体２５と共に不燃性樹脂を射出成形することによって一体に形成されている。前側の右側規制部２３は、第２カバー本体２６と共に不燃性樹脂を射出成形することによって一体に形成されている。
【００６３】
なお、２つの右側規制部２３は、本実施形態２では、等しい大きさの矩形状に形成されているが、本体部２１内において右側に設けられる第２コネクタＣ１２に当接して該第２コネクタＣ１２の右方への移動を規制できるものであれば、いかなる大きさ、形状であってもよい。２つの右側規制部２３は、一方が他方より大きいものであってもよく、矩形状以外の形状であってもよい。また、右側規制部２３は、１つだけ設けられていてもよく、３つ以上設けられていてもよい。
【００６４】
本実施形態２では、左側規制部２２と右側規制部２３とは、Ｚ方向、即ち、第１コネクタＣ１１及び第２コネクタＣ１２の着脱方向（配列方向）において対向する位置に設けられている。また、左側規制部２２と右側規制部２３とは、Ｚ方向の間隔が、接続状態にある第１コネクタＣ１１及び第２コネクタＣ１２のＺ方向の長さより僅かに大きくなるように形成されている。左側規制部２２と右側規制部２３とがこのような間隔で設けられることにより、接続状態にある第１コネクタＣ１１及び第２コネクタＣ１２を容易に本体部２１内に収容することができる。また、本体部２１内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は左側規制部２２（第１規制部）に当接することによって左方への移動が規制され、第２コネクタＣ１２は右側規制部２３（第２規制部）に当接することによって右方への移動が規制される。つまり、左側規制部２２と右側規制部２３とが上述のような間隔で設けられることにより、本体部２１内に収容された接続状態にある第１コネクタＣ１１及び第２コネクタＣ１２の接続の緩みが抑制される。
【００６５】
−コネクタカバーの着脱手順−
次に、コネクタカバー１０の着脱手順について説明する。
【００６６】
コネクタカバー１０を第１コネクタＣ１１及び第２コネクタＣ１２に装着する際には、まず、コネクタカバー１０の本体部２１の第１カバー本体２５の操作部２５ｂと第２カバー本体２６の操作部２６ｂの上端を把持して該上端同士を近づける。その結果、第１カバー本体２５が回動軸Ａを中心に第１方向（図８において時計回り）に回動し、同時に、第２カバー本体２６が回動軸Ａを中心に第１方向と逆方向の第２方向（図８において反時計回り）に回動し、本体部２１が、第１カバー本体２５の収容部２５ａと第２カバー本体２６の収容部２６ａの下端同士が当接した閉状態（図８の状態）から該下端同士が離れた開状態となる（図９の状態）。
【００６７】
次に、開状態となった本体部２１を、該本体部２１内の左側規制部２２と右側規制部２３との間に、互いに接続された第１コネクタＣ１１及び第２コネクタＣ１２が配置される位置に移動させる。そして、第１カバー本体２５の操作部２５ｂと第２カバー本体２６の操作部２６ｂの上端に作用させていた力を取り除き、ばね部材２７の復元力（弾性力）によって、回動軸Ａを中心に第１カバー本体２５を第２方向（図８の半時計回り）に回動させ、第２カバー本体２６を第１方向（図８の時計回り）に回動させて本体部２１を各収容部２５ａ，２６ａの下端が当接した閉状態にする。その結果、互いに接続された第１コネクタＣ１１及び第２コネクタＣ１２は、本体部２１内の左側規制部２２と右側規制部２３との間に収容される。
【００６８】
一方、第１コネクタＣ１１及び第２コネクタＣ１２からコネクタカバー１０を取り外す際には、コネクタカバー１０の本体部２１の第１カバー本体２５の操作部２５ｂと第２カバー本体２６の操作部２６ｂの上端を把持して該上端同士を近づけて本体部２１を開状態にし、本体部２１内から第１コネクタＣ１１及び第２コネクタＣ１２を取り出せばよい。
【００６９】
−実施形態２の効果−
以上のように、上記コネクタカバー１０は、本体部２１において第１ケーブルＣ１側の一端部に対応する左側端部から該本体部２１の内側に突出し、第１コネクタＣ１１に当接することによって該第１コネクタＣ１１の第２コネクタＣ１２との接続が解除される方向（左方）への移動を規制する左側規制部２２（第１規制部）と、本体部２１において第２ケーブルＣ２側の他端部に対応する右側端部から該本体部２１の内側に突出し、第２コネクタＣ１２に当接することによって該第２コネクタＣ１２の第１コネクタＣ１１との接続が解除される方向（右方）への移動を規制する右側規制部２３（第２規制部）とを含んでいる。そのため、本体部２１内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は左側規制部２２（第１規制部）に当接することによって左方への移動が規制され、第２コネクタＣ１２は右側規制部２３（第２規制部）に当接することによって右方への移動が規制される。つまり、コネクタカバー１０が左側規制部２２と右側規制部２３とを含むことにより、本体部２１内に収容された接続状態にある第１コネクタＣ１１及び第２コネクタＣ１２の接続の緩みが抑制される。よって、第１コネクタＣ１１及び第２コネクタＣ１２の導通不良による電力量の低下や高温に発熱することが回避される。
【００７０】
また、コネクタカバー１０では、開閉可能な筒状に形成されて第１コネクタＣ１１及び第２コネクタＣ１２を覆う本体部２１が、不燃材料（不燃性樹脂と金属）で構成されている。そして、本体部２１は、内部に収容した接続状態にある第１コネクタＣ１１及び第２コネクタＣ１２の側面全周を一体的に覆う大きさに形成されている。つまり、接続状態にある第１コネクタＣ１１及び第２コネクタＣ１２は、不燃材料からなる本体部２１によって側面全周が覆われることとなる。よって、第１コネクタＣ１１及び第２コネクタＣ１２が経年の使用によって劣化し、導通不良によって高温に発熱して万一発火するようなことがあったとしても、不燃材料からなる本体部２１によって側面全周が覆われているため、周辺の部材、例えば、住宅の屋根に太陽電池パネルＰが設置されているような場合には、ルーフィング又は野地板への延焼が抑制される。また、万一発火するようなことがあっても、コネクタカバー１０によって発火部分（第１コネクタＣ１１及び第２コネクタＣ１２の接続部分）への酸素の供給が抑制されるため、速やかに鎮火されることとなる。
【００７１】
また、このようにコネクタカバー１０の本体部２１で第１コネクタＣ１１及び第２コネクタＣ１２の側面全周を一体的に覆うことにより、第１コネクタＣ１１及び第２コネクタＣ１２が保護される。そのため、例えば、太陽電池パネルＰの施工時に誤って第１コネクタＣ１１及び第２コネクタＣ１２を踏みつけてしまっても、コネクタカバー１０の本体部１１によって保護されているため、第１コネクタＣ１１及び第２コネクタＣ１２が破損し難くなる。
【００７２】
また、コネクタカバー１０では、本体部２１がばね部材２７を含むことにより、本体部２１が、第１カバー本体２５の収容部２５ａと第２カバー本体２６の収容部２６ａの下端同士が離れた開状態の際に、閉状態になるように付勢する弾性力が作用するように構成されている。このような構成により、本体部２１を容易に開くことができ、コネクタカバー１０の着脱が容易になる。
【００７３】
また、コネクタカバー１０は、第１コネクタＣ１１に当接して該第１コネクタＣ１１の左方への移動を規制する左側規制部２２（第１規制部）と、第２コネクタＣ１２に当接して該第２コネクタＣ１２の右方への移動を規制する右側規制部２３（第２規制部）とを２つずつ有している。コネクタカバー１０が左側規制部２２及び右側規制部２３を少なくとも１つずつ有していれば本体部２１内に収容された接続状態にある第１コネクタＣ１１及び第２コネクタＣ１２の接続の緩みが抑制されるが、左側規制部２２及び右側規制部２３を複数有することにより、第１コネクタＣ１１及び第２コネクタＣ１２の接続の緩みがより確実に抑制される。
【００７４】
また、上記コネクタカバー１０では、左側規制部２２（第１規制部）及び右側規制部２３（第２規制部）が、本体部２１を構成する第１カバー本体２５及び第２カバー本体２６と不燃性樹脂を射出成形することによって一体に形成されている。よって、コネクタカバー１０は、容易に形成される。
【００７５】
《実施形態３》
以下、実施形態３のコネクタカバー１０について図１０〜図１２を用いて説明する。
【００７６】
なお、以下では、便宜上、図１０に矢印で示すように、紙面の右方向を前方、紙面の左方向を後方、紙面の上方向を上方、紙面の下方向を下方、紙面の左斜め下方向を左方、紙面の右斜め上方向を右方として説明する。また、前後方向をＸ方向、上下方向をＹ方向、左右方向をＺ方向という。なお、Ｚ方向は、第１コネクタＣ１１と第２コネクタＣ１２との着脱方向（接続時の配列方向）となる。
【００７７】
−コネクタカバーの構成−
図１０及び図１１に示すように、コネクタカバー１０は、第１部材３１と、第２部材３２とを備えている。
【００７８】
［第１部材］
第１部材３１は、図１１に示すように、ＸＹ方向の断面が略矩形の筒状に形成された第１本体部３３と、該第１本体部３３の左端面（筒状の第１本体部３３の一端面）を覆う矩形の板状部からなる第１遮蔽部３４とを有している。第１本体部３３と第１遮蔽部３４とは板金によって形成されている。
【００７９】
第１本体部３３は、Ｘ方向及びＹ方向の長さに対してＺ方向の長さが長い筒状に形成されている。また、第１本体部３３は、互いに接続された第１コネクタＣ１１及び第２コネクタＣ１２の側面全周（着脱方向に沿う前面、上面、後面及び下面からなる外周面）を一体的に覆うことができる大きさに形成されている。つまり、第１本体部３３は、Ｘ方向、Ｙ方向及びＺ方向の寸法が、それぞれ第１コネクタＣ１１及び第２コネクタＣ１２のＸ方向、Ｙ方向及びＺ方向の寸法よりも僅かに大きくなるように形成されている。
【００８０】
第１遮蔽部３４は、矩形の板状片部からなり、第１本体部３３の左端面に接合されて該左端面を覆っている。第１遮蔽部３４には、円形の第１挿通孔３８が形成されている。第１挿通孔３８は、外径が第１ケーブルＣ１の外径より大きく、第１コネクタＣ１１は通過できない大きさに形成されている。第１挿通孔３８は、円形状に限定されず、第１ケーブルＣ１が挿通可能で第１コネクタＣ１１が挿通不能な孔であればいかなる形状であってもよい。
【００８１】
［第２部材］
第２部材３２は、図１１に示すように、ＸＹ方向の断面が略矩形の筒状に形成された第２本体部３５と、該第２本体部３５の右端面（筒状の第１本体部３３の他端面）を覆う矩形の板状部からなる第２遮蔽部３６と、第１部材３１と係合する係合部３７とを有している。第２本体部３５と第２遮蔽部３６と係合部３７とは板金によって形成されている。
【００８２】
第２本体部３５は、Ｘ方向及びＹ方向の長さに対してＺ方向の長さが長い筒状に形成されている。また、第２本体部３５は、第１本体部３３に対してＺ方向にスライド可能に外側から嵌め入れるように、Ｘ方向、Ｙ方向Ｚ方向の寸法が、それぞれ第１本体部３３のＸ方向、Ｙ方向Ｚ方向の寸法よりも僅かに大きくなるように形成されている。
【００８３】
第２遮蔽部３６は、矩形の板状片部からなり、第２本体部３５の右端面に接合されて該右端面を覆っている。第２遮蔽部３６には、第２挿通孔３９が形成されている。第２挿通孔３９は、外径が第２ケーブルＣ２の外径より大きく、第２コネクタＣ１２は通過できない大きさに形成されている。本実施形態３では、第２挿通孔３９は、第１挿通孔３８と同形状に形成されている。第２挿通孔３９は、円形状に限定されず、第２ケーブルＣ２が挿通可能で第２コネクタＣ１２が挿通不能な孔であればいかなる形状であってもよい。
【００８４】
係合部３７は、第１部材３１と係合して第２本体部３５の第１本体部３３に対するスライドを規制することにより、第２本体部３５内に挿入した第１部材３１を第２本体部３５内に保持するものである。係合部３７は、第２本体部３５の前面及び後面の左側端部から左側へ突出する２つの矩形の突出片部によって構成されている。係合部３７は、第２本体部３５内に第１部材３１を挿入した後、第２本体部３５の前面及び後面に対してそれぞれ第２本体部３５の内側へ折り曲げて第１部材３１の第１遮蔽部３４に当接させることにより、第１部材３１と係合し、第２本体部３５が第１本体部３１に対してスライド移動しないように規制される。
【００８５】
以上のような構成により、実施形態３のコネクタカバー１０によれば、第１コネクタＣ１１及び第２コネクタＣ１２の側面全周が、第１本体部３３と第２本体部３５とによって２重に覆われることとなる。また、第１本体部３３は、Ｘ方向、Ｙ方向及びＺ方向の寸法が、それぞれ第１コネクタＣ１１及び第２コネクタＣ１２のＸ方向、Ｙ方向及びＺ方向の寸法よりも僅かに大きくなるように形成され、第２本体部３５は、Ｘ方向、Ｙ方向及びＺ方向の寸法が、それぞれ第１本体部３３のＸ方向、Ｙ方向及びＺ方向の寸法よりも僅かに大きくなるように形成されている。このような構成により、第１遮蔽部３４と第２遮蔽部３６とは、Ｚ方向の間隔が、接続状態にある第１コネクタＣ１１及び第２コネクタＣ１２のＺ方向の長さより僅かに大きくなるように形成される。第１遮蔽部３４と第２遮蔽部３６とがこのような間隔で設けられることにより、第１本体部３３及び第２本体部３５内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は第１遮蔽部３４に当接することによって左方への移動が規制され、第２コネクタＣ１２は第２遮蔽部３６に当接することによって右方への移動が規制される。つまり、第１遮蔽部３４と第２遮蔽部３６とが上述のような間隔で設けられることにより、第１本体部３３及び第２本体部３５内に収容された接続状態にある第１コネクタＣ１１及び第２コネクタＣ１２の接続の緩みが抑制される。
【００８６】
−コネクタカバーの着脱手順−
次に、コネクタカバー１０の着脱手順について説明する。
【００８７】
なお、図１２に示すように、コネクタカバー１０の第１部材３１と第２部材３２とは、予め、第１ケーブルＣ１と第２ケーブルＣ２とにそれぞれ挿通されている。具体的には、第１ケーブルＣ１及び第２ケーブルＣ２を太陽電池パネルＰに接続する際に、第１ケーブルＣ１を第１挿通孔３８に挿通させ、第２ケーブルＣ２を第２挿通孔３９に挿通させた状態で第１ケーブルＣ１及び第２ケーブルＣ２を太陽電池パネルＰに接続する。
【００８８】
コネクタカバー１０を第１コネクタＣ１１及び第２コネクタＣ１２に装着する際には、まず、コネクタカバー１０の第１部材３１を、第１ケーブルＣ１に沿って隣の太陽電池パネルＰ方向まで移動させ、第１遮蔽部３４が第１コネクタＣ１１に当接したところで移動を止める。この状態において、互いに接続された第１コネクタＣ１１及び第２コネクタＣ１２は、側面全周が第１部材３１によって覆われる。
【００８９】
次に、コネクタカバー１０の第２部材３２を、第２ケーブルＣ２に沿って第１部材３１とは逆方向に移動させる。そして、互いに接続された第１コネクタＣ１１及び第２コネクタＣ１２を覆う第１部材３１に対して第２部材３２をスライドさせることにより、第２本体部３５を第１本体部３３に対して外側から嵌め入れる。これにより、第１部材３１が第２本体部３５内に収容される。第１部材３１の全体が第２本体部３５の内部に収容されたところで、第２部材３２の２つの係合部３７を折り曲げて第１部材３１の第１遮蔽部３４に当接させる。これにより、第２部材３２の第１部材３１に対するスライドが規制され、第１部材３１が第２部材３２内に保持される。
【００９０】
以上のようにして、互いに接続された第１コネクタＣ１１及び第２コネクタＣ１２にコネクタカバー１０が装着される。
【００９１】
一方、第１コネクタＣ１１及び第２コネクタＣ１２からコネクタカバー１０を取り外す際には、折り曲げていたコネクタカバー１０の第２部材３２の２つの係合部３７を第２本体部３５の前面及び後面に平行な元の位置に戻し、第２部材３２を第１部材３１に対して第２ケーブルＣ２側にスライドさせて第１部材３１を露出させる。第１本体部３３の右側端部（第１本体部３３の他端部）は開口しているため、第１部材３１を第１ケーブルＣ１側に移動させることにより、第１コネクタＣ１１及び第２コネクタＣ１２を取り出せばよい。
【００９２】
−実施形態３の効果−
以上のように、上記コネクタカバー１０は、接続状態にある第１コネクタＣ１１及び第２コネクタＣ１２の側面全周を第１本体部３３及び第２本体部３５で２重に覆うと共に、第１本体部３３の左端部を覆う第１遮蔽部３４と第２本体部３５の右端部を覆う第２遮蔽部３６とのＺ方向（左右方向）の間隔が、接続状態にある第１コネクタＣ１１及び第２コネクタＣ１２のＺ方向の長さより僅かに大きくなるように形成されている。そのため、第１本体部３３及び第２本体部３５内において接続状態にある第１コネクタＣ１１及び第２コネクタＣ１２に接続が解除される（引き離す）力、具体的には、第１コネクタＣ１１に左向きの力、第２コネクタＣ１２に右向きの力が作用しても、第１コネクタＣ１１は第１遮蔽部３４に当接することによって左方への移動が規制され、第２コネクタＣ１２は第２遮蔽部３６に当接することによって右方への移動が規制される。つまり、第１遮蔽部３４と第２遮蔽部３６とが上述のような間隔で設けられることにより、第１本体部３３及び第２本体部３５内に収容された接続状態にある第１コネクタＣ１１及び第２コネクタＣ１２の接続の緩みが抑制される。よって、第１コネクタＣ１１及び第２コネクタＣ１２の導通不良による電力量の低下や高温に発熱することが回避される。
【００９３】
また、コネクタカバー１０は、不燃材料である金属板で筒状に形成された第１本体部３３及び第２本体部３５を有する第１部材３１及び第２部材３２で、接続状態にある第１コネクタＣ１１及び第２コネクタＣ１２の側面全周を２重に覆う。つまり、接続状態にある第１コネクタＣ１１及び第２コネクタＣ１２は、不燃材料からなる第１部材３１及び第２部材３２によって側面全周が２重に覆われることとなる。よって、第１コネクタＣ１１及び第２コネクタＣ１２が経年の使用によって劣化し、導通不良によって高温に発熱して万一発火するようなことがあったとしても、不燃材料からなる第１部材３１及び第２部材３２によって側面全周が２重に覆われているため、周辺の部材、例えば、住宅の屋根に太陽電池パネルＰが設置されているような場合には、ルーフィング又は野地板への延焼が抑制される。また、万一発火するようなことがあっても、コネクタカバー１０によって発火部分（第１コネクタＣ１１及び第２コネクタＣ１２の接続部分）への酸素の供給が抑制されるため、速やかに鎮火されることとなる。
【００９４】
また、このようにコネクタカバー１０の不燃材料からなる第１部材３１及び第２部材３２によって側面全周を２重に覆うことにより、第１コネクタＣ１１及び第２コネクタＣ１２がより堅固に保護される。そのため、例えば、太陽電池パネルＰの施工時に誤って第１コネクタＣ１１及び第２コネクタＣ１２を踏みつけてしまっても、コネクタカバー１０の第１本体部３３及び第２本体部３５によって２重に保護されているため、第１コネクタＣ１１及び第２コネクタＣ１２が破損し難くなる。
【００９５】
また、コネクタカバー１０は、第１部材３１と第２部材３２とをＺ方向（第１コネクタＣ１１及び第２コネクタＣ１２の着脱方向）にスライドさせるだけで容易に第１コネクタＣ１１及び第２コネクタＣ１２を露出させることができる。このような構成により、コネクタカバー１０の着脱が容易になる。
【００９６】
《その他の実施形態》
上記各実施形態では、コネクタカバー１０内の左側に第１コネクタＣ１１、右側に第２コネクタＣ１２が位置するようにコネクタカバー１０を取り付けていたが、コネクタカバー１０は、左右逆向きに取り付けても勿論よい。つまり、コネクタカバー１０内の右側に第１コネクタＣ１１、左側に第２コネクタＣ１２が位置するようにコネクタカバー１０を取り付けてもよい。
【００９７】
上記各実施形態では、不燃材料として金属や不燃性樹脂を用いていたが、不燃材料はこれらに限定されず、その他に不燃性を有する材料であればいかなるものを用いてもよい。
【符号の説明】
【００９８】
１０      コネクタカバー
１１      本体部
１１ｃ    後面部（板ばね部）
１２      左側規制部（第１規制部）
１３      右側規制部（第２規制部）
１４      保持部
２１      本体部
２２      左側規制部（第１規制部）
２３      右側規制部（第２規制部）
２５      第１カバー本体
２６      第２カバー本体
２７      ばね部材
３１      第１部材
３２      第２部材
３３      本体部
３４      第１遮蔽部
３５      本体部
３６      第２遮蔽部
３７      係合部
３８      第１挿通孔
３９      第２挿通孔
Ａ      回動軸
Ｃ１      第１ケーブル
Ｃ２      第２ケーブル
Ｃ１１      第１コネクタ
Ｃ１２      第２コネクタ
【図１】
2019175692.tif 000003
【図２】
2019175692.tif 000004
【図３】
2019175692.tif 000005
【図４】
2019175692.tif 000006
【図５】
2019175692.tif 000007
【図６】
2019175692.tif 000008
【図７】
2019175692.tif 000009
【図８】
2019175692.tif 000010
【図９】
2019175692.tif 000011
【図１０】
2019175692.tif 000012
【図１１】
2019175692.tif 000013
【図１２】
2019175692.tif 000014